(57)【要約】【課題】インスツルメント類を患者側から見えないようにして患者に緊張感を与えないようにする。【解決手段】歯科治療ユニットのテーブル部及び/又はアシスタントハンガー部に、インスツルメントを患者側から見えないように収納し得る開閉自在なドアを有するキャビネットを設けて、非使用時にはインスツルメント類をキャビネット内に収納してドアを閉め、使用時にはドクターカート及び/又はアシスタントカートを治療しやすい位置に移動してドアを開き、インスツルメント類を取り出して治療開始を可能にする。なおキャビネットは治療しやすい位置に固定する固定式、あるいはキャビネットの下面にキャスターを取り付けてカートタイプにした移動式に構成する。【選択図】図1
2005230334.tif 000002
【特許請求の範囲】
【請求項１】
インスツルメントハンガー及びテーブルが備えられたテーブル部と、うがい用給水管及び鉢が備えられたスピットン部とバキュームチップや排唾管のハンガーが備えられたアシスタントハンガー部とを有する歯科治療ユニットにおいて、
前記歯科治療ユニットのテーブル部及び/又はアシスタントハンガー部にインスツルメント類を患者側から見えないように収納し、かつ開閉自在なドアを開けてインスツルメント類を取り出すことができるキャビネットを設けると共に、該キャビネットを治療しやすい位置に固定し、前記インスツルメント類の非使用時には該インスツルメント類を該キャビネット内に収納してドアを閉め、使用時にはドクター及び/又はアシスタントが前記ドアを開いてインスツルメント類を使用可能な状態にすることを特徴とする歯科治療ユニット。
【請求項２】
前記キャビネットの下面に移動手段を設けて、前記インスツルメント類の非使用時には該インスツルメント類を該キャビネット内に収納してドアを閉め、使用時にはドクター及び/又はアシスタントが該キャビネットを治療しやすい位置へ移動し、前記ドアを開いてインスツルメント類を使用可能な状態にするドクターカート及び/又はアシスタントカートを構成したことを特徴とする請求項１記載の歯科治療ユニット。
【請求項３】
前記ドアが開き戸式であることを特徴とする請求項１又は２記載の歯科治療ユニット。
【請求項４】
前記開き戸式ドアが２段屈折式であることを特徴とする請求項１、２、３のいずれかに記載の歯科治療ユニット。
【請求項５】
前記ドアが前倒し式であることを特徴とする請求項１又は２記載の歯科治療ユニット。
【請求項６】
前記ドアがスライド式であることを特徴とする請求項１又は２記載の歯科治療ユニット。
【請求項７】
前記ドアの開閉がモータ駆動であることを特徴とする請求項１又は２記載の歯科治療ユニット。
【請求項８】
前記テーブル部及び/又はアシスタントハンガー部のインスツルメントハンガーが前記キャビネット内面に固定されていることを特徴とする請求項１又は２記載の歯科治療ユニット。
【請求項９】
前記テーブル部及び/又はアシスタントハンガー部のインスツルメントハンガーが前記キャビネットの内面に回動自在に固定されていることを特徴とする請求項１又は２記載の歯科治療ユニット。
【請求項１０】
前記テーブル部及び/又はアシスタントハンガー部のインスツルメントハンガーが前記キャビネットの内面にリンク機構を介して回動自在に固定されていることを特徴とする請求項１又は２記載の歯科治療ユニット。
【発明の詳細な説明】
【技術分野】
【０００１】
本発明は、インスツルメントハンガー及びテーブルが備えられたテーブル部と、うがい用給水管及び鉢が備えられたスピットン部とバキュームチップや排唾管のハンガーが備えられたアシスタントハンガー部とを有する歯科治療ユニットに関するものである。
【背景技術】
【０００２】
従来の歯科治療ユニットとしては、例えば特許文献1及び特許文献2に示されるものが公知である。
特許文献１の場合は、図12に示すように患者用椅子31を中央にしてその一方の側に術者が使用するインスツルメントハンガー32が、他方の側に主としてアシスタントが使用するインスツルメントハンガー33が設けられており、それぞれのハンガー32,33にはインスツルメント32a,33aが患者側から見える状態にて掛止されている。このために患者に緊張感を与え、リラックスした状態で治療を受けさせることができないという問題があった。
なお図中の符号34はドクターテーブル、35はカウンセリングキャビネット、36はカウンセリングテーブル、37はスピットンボウル、38はテーブル部、39はアシスタントハンガー部を示す。
【０００３】
また特許文献2の場合は、図13(a)(b)に示すように主としてアシスタントが使用するインスツルメント41等が患者側から見えないようにする収納ユニット42が床置きタイプであり移動自在な構成については述べられていない。また術者が使用するインスツルメントを患者側から見えないようにする構成については記述されていない。
なお、図中の符号45はスピットンボウル、46は口腔外バキューム装置、47はインスツルメントホルダー収納部、48は口腔外バキューム装置収納部、49は無影灯収納部、50はスピットン収納部を示す。
【特許文献１】特開2001-299837号公報
【特許文献２】特許第3383284号公報
【発明の開示】
【発明が解決しようとする課題】
【０００４】
解決しようとする問題点は、インスツルメント類を患者側から見えないようにすること。そして患者に緊張感を与えずにリラックスした状態で治療を受けさせることができるようにすることである。
【課題を解決するための手段】
【０００５】
本発明の歯科治療ユニットに係る請求項１は、インスツルメントハンガー及びテーブルが備えられたテーブル部と、うがい用給水管及び鉢が備えられたスピットン部とバキュームチップや排唾管のハンガーが備えられたアシスタントハンガー部とを有する歯科治療ユニットにおいて、
前記歯科治療ユニットのテーブル部及び/又はアシスタントハンガー部にインスツルメント類を患者側から見えないように収納し、かつ開閉自在なドアを開けてインスツルメント類を取り出すことができるキャビネットを設けると共に、該キャビネットを治療しやすい位置に固定し、前記インスツルメントの非使用時には該インスツルメント類を該キャビネット内に収納してドアを閉め、使用時にはドクター及び/又はアシスタントが前記ドアを開いてインスツルメント類を使用可能な状態にすることを特徴とするものである。
【０００６】
請求項２は、前記キャビネットの下面に移動手段を設けて、前記インスツルメント類の非使用時には該インスツルメント類を該キャビネット内に収納してドアを閉め、使用時にはドクター及び/又はアシスタントが該キャビネットを治療しやすい位置へ移動し、前記ドアを開いてインスツルメント類を使用可能な状態にするドクターカート及び/又はアシスタントカートを構成したことを特徴とする請求項１記載の歯科治療ユニットである。
請求項３は、前記ドアが開き戸式であることを特徴とする請求項１又は２記載の歯科治療ユニットである。
【０００７】
請求項４は前記開き戸式ドアが２段屈折式であることを特徴とする請求項１、２、３のいずれかに記載の歯科治療ユニットである。
【０００８】
請求項５は、前記ドアが前倒し式であることを特徴とする請求項１又は２記載の歯科治療ユニットである。
【０００９】
請求項６は、前記ドアがスライド式であることを特徴とする請求項１又は２記載の歯科治療ユニットである。
【００１０】
請求項７は、前記ドアの開閉がモータ駆動であることを特徴とする請求項１又は２記載の歯科治療ユニットである。
【００１１】
請求項８は、前記テーブル部及び/又はアシスタントハンガー部のインスツルメントハンガーが前記キャビネット内面に固定されていることを特徴とする請求項１又は２記載の歯科治療ユニットである。
【００１２】
請求項９は、前記テーブル部及び/又はアシスタントハンガー部のインスツルメントハンガーが前記キャビネットの内面に回動自在に固定されていることを特徴とする請求項１又は２記載の歯科治療ユニットである。
【００１３】
請求項１０は、前記テーブル部及び/又はアシスタントハンガー部のインスツルメントハンガーが前記キャビネットの内面にリンク機構を介して回動自在に固定されていることを特徴とする請求項１又は２記載の歯科治療ユニットである。
【発明の効果】
【００１４】
本発明の歯科治療ユニットは、全てのインスツルメント類が、患者側から見えないようにドクター側及び/又はアシスタント側に備えられたキャビネット内に収納されているので患者にリラックスした状態で治療を受けさせることができる。またキャビネットはドクター側及び/又はアシスタント側の治療しやすい位置に固定され、あるいは移動手段にて治療しやすい位置に移動して、その位置にてドアを開き、インスツルメント類を取り出すことができるので治療が容易である。またインスツルメント類は非使用時にキャビネット内に収納されているので塵埃等から隔離されて清潔が保たれるという利点もある。
【発明を実施するための最良の形態】
【００１５】
インスツルメント類を患者側から見えないようにするという目的を、非治療時にはキャビネット内にインスツルメント類を収納し、治療時にはインスツルメント類を治療しやすい位置にてドアを開き、インスツルメント類を取り出して治療することができる歯科治療ユニットにて実現した。
【実施例】
【００１６】
本実施例の歯科治療ユニットは、図1(a)に示すようにテーブル部側及び/又はアシスタントハンガー部側にインスツルメント類を収納するキャビネット4a及び/又はキャビネット4bが患者用椅子1を中心にして治療しやすい位置に固定され、あるいは移動自在に配置されている。そして前記両キャビネット4a,4bには開閉自在なドア3a,3bが設けられ、また移動自在なキャビネット4a,4bの下面には移動手段として図2に示すキャスター13が設けられてドクターカート5a及び/又はアシスタントカート5bが構成されている。
【００１７】
この歯科治療ユニットは非使用時に図1(a) に示すようにインスツルメント類が患者側から見えないようにキャビネット4a,4b内に収納され、ドア3a,3bは閉じられている。また使用時には図1(b)に示すようにキャビネット4a及び/又はキャビネット4bのドア3a,3bを開き、インスツルメント類6a,6bを取り出して治療を開始することができる。
【００１８】
なお本発明は、患者側から見えないようにする設備としてインスツルメント類以外のスピットンや無影灯は対象外である。また図1(a)(b)中におけるキャビネット4aのドア3aはスライド式、キャビネット4bのドア3bは開閉式の例を示す。患者用椅子は有無に限定されない。図中の符号14a,14bは配線や配管が収納されたホース、15はスピットンボウルを示す。
【００１９】
上記したインスツルメント類を収納するキャビネット4a,4bには各種形態のものがあるので次にそれぞれの形態について説明する。
図2(a)は上下面が密閉された円筒形のキャビネット7aに形成され、下面に移動手段としてキャスター１３が設けられた移動自在なドクターカート5a及び/又はアシスタントカート5bの例を示す。この場合のキャビネット7aは縦割りにした前部がドア3に形成され、ドア3は縦方向の一辺側を中心にして前方に回動自在な開き戸式に構成されている。そしてインスツルメントハンガー2はドア3の内面に沿って形成された円弧状のアーム8を介してピン９を中心に回動自在にドアの内面に設けられている。なおアーム8は円弧状に限らない。また移動手段はキャスターに限らない。キャビネットは移動手段を設けずに治療しやすい位置に固定してもよい。
これにより非使用時にはインスツルメント類6をキャビネット7a内にコンパクトに収納してドア3を閉め、使用時には図2(a)(b)に示すようにドア3を開き、アーム8を回動してインスツルメント類6を治療しやすい位置に移動することができる。
【００２０】
図3は前記と同様に上下面が密閉された円筒形のキャビネットの例である。このキャビネット7bのドア3は円筒面に沿ったスライド式に構成されている。この場合も前記と同様にインスツルメント類6アームを介して回動自在に構成することができる。これにより非使用時にはインスツルメント類6をキャビネット7b内にコンパクトに収納してドア3を閉め、使用時にはドア3を開いてアームを介して回動し、インスツルメント6を治療しやすい位置に移動することができる。
【００２１】
次に、キャビネットが立方形に形成された例について説明する。
図4はインスツルメントハンガー2が立方形のキャビネット本体10の内面に設けられ、ドア3は開き戸式である。図5はインスツルメントハンガー2がドア3の内面に設けられ、ドア3と共に下辺を中心に回動する前倒し式である。図6はインスツルメントハンガー2がドア3の内面に設けられ、ドア3と共に前後方向に引き出すスライド式である。図7はインスツルメントハンガー2を引き出して前方に移動することが可能なスライド式であり、このような各種構成が可能である。
【００２２】
また、図8は立方形に形成されたキャビネット10のドア3内面にインスツルメントハンガー2が回動自在に固定された例である。この場合はドア3の開閉角度やインスツルメントハンガー2の回動角度によりインスツルメントを治療しやすい位置に移動することが可能な開き戸式である。
【００２３】
図9は立方形に形成されたキャビネット10のドア3が3a,3bの2段に形成された屈折自在の開き戸式ドアであり、インスツルメントハンガー2が開放端側ドア3b内面にテーブル11と共に回動自在に設けられた例である。この場合はドア3が2段屈折式であるのでドア3の開閉によるインスツルメントハンガー2の移動範囲が広くなり、更にインスツルメントハンガー2がテーブルと共に回動可能であるので治療しやすい位置に移動することが更に容易になる。
【００２４】
図10は立方形に形成されたキャビネット本体10内面にリンク機構12を介してインスツルメントハンガー2がテーブル11と共に設けられた開き戸式ドアの例である。この場合はドアの開閉角度に関係なくリンク機構を介してインスツルメントハンガーを自由に移動させることができる。
【００２５】
図11は立方形に形成されたキャビネット本体10内面とドア3内面との間に跨って設けられた平行型リンク機構12を介してインスツルメントハンガー2が回動自在に設けられた開き戸式の例である。この場合はドア3の開閉と同時にリンク機構が作動してインスツルメントハンガー2が自動的に移動するように構成されている。
【００２６】
なお、上記ドア3は、全てモータ駆動による開閉が可能である。
【図面の簡単な説明】
【００２７】
【図１】(a)(b)本発明の歯科治療ユニットの概略構成を示す図である。
【図２】(a)(b)円筒形開き戸ドア付キャビネットを示す図である。
【図３】円筒形スライド式ドア付キャビネットを示す図である。
【図４】立方形開き戸式ドア付キャビネットを示す図である。
【図５】立方形前倒し式ドア付キャビネットを示す図である。
【図６】立方形前方引き出し式ドア付キャビネットを示す図である。
【図７】立方形インスツルメントハンガースライド式キャビネットを示す図である。
【図８】立方形開き戸式ドアでドア内面にインスツルメントハンガーを回動自在に設けたキャビネットを示す図である。
【図９】立方形開き戸2段屈折式ドア付きでドア内面にインスツルメントハンガーを回動自在に設けたキャビネットを示す図である。
【図１０】立方形開き戸式ドアでリンク機構を介してインスツルメントハンガーを回動自在に設けたキャビネットを示す図である。
【図１１】立方形開き戸式ドアで平行型リンク機構を介してインスツルメントハンガーを回動自在に設けたキャビネットを示す図である。
【図１２】従来の歯科治療ユニットを示す図である。
【図１３】従来の歯科治療ユニットを示す図である。
【符号の説明】
【００２８】
1 患者用椅子
2 インスツルメントハンガー
3    ドア
4    キャビネット
5    ドクターカート
6    インスツルメント
7    キャビネット
8    アーム
9    ピン
10  キャビネット本体
11  テーブル
12  リンク機構
13  キャスター
【図１】
2005230334.tif 000003
【図２】
2005230334.tif 000004
【図３】
2005230334.tif 000005
【図４】
2005230334.tif 000006
【図５】
2005230334.tif 000007
【図６】
2005230334.tif 000008
【図７】
2005230334.tif 000009
【図８】
2005230334.tif 000010
【図９】
2005230334.tif 000011
【図１０】
2005230334.tif 000012
【図１１】
2005230334.tif 000013
【図１２】
2005230334.tif 000014
【図１３】
2005230334.tif 000015